(57)【要約】【課題】移動局のコンテキスト情報を記憶していない無線基地局に対するコネクション再設定（再接続）を可能とする。【解決手段】本発明に係る移動通信方法は、第１セルにおいて第１コネクションを設定している移動局ＵＥが、第１コネクションにおける障害を検出した際に、セル選択処理を行い、セル選択処理によって選択した第２セルに対してコネクション再設定要求信号を送信する工程と、第２セルを管理する無線基地局が、コネクション再設定要求信号に応じて、移動局ＵＥのコンテキスト情報を記憶しているか否かについて判定し、移動局ＵＥのコンテキスト情報を記憶していないと判定した場合に、第１セルを管理する無線基地局から移動局のコンテキスト情報を取得する工程と、移動局のコンテキスト情報に基づいて、移動局ＵＥ用の該第２セルにおける第２コネクションを設定する工程Ｅとを有する。【選択図】図３
2010141613.tif 000002
【特許請求の範囲】
【請求項１】
第１セルにおいて第１コネクションを設定している移動局が、該第１コネクションにおける障害を検出した際に、セル選択処理を行う工程Ａと、
前記移動局が、前記セル選択処理によって選択した第２セルに対して、コネクション再設定要求信号を送信する工程Ｂと、
前記第２セルを管理する無線基地局が、前記コネクション再設定要求信号に応じて、前記移動局のコンテキスト情報を記憶しているか否かについて判定する工程Ｃと、
前記第２セルを管理する無線基地局が、前記移動局のコンテキスト情報を記憶していないと判定した場合に、前記第１セルを管理する無線基地局から、該移動局のコンテキスト情報を取得する工程Ｄと、
前記移動局のコンテキスト情報に基づいて、前記第２セルを管理する無線基地局及び前記移動局が、該移動局用の該第２セルにおける第２コネクションを設定する工程Ｅとを有することを特徴とする移動通信方法。
【請求項２】
前記工程Ｂは、
前記移動局が、前記第２セルを管理する無線基地局に対して、ランダムアクセスプリアンブルを送信する工程Ｂ１と、
前記第２セルを管理する無線基地局が、受信した前記ランダムアクセスプリアンブルに応じて、前記移動局に対して、ランダムアクセス応答を送信する工程Ｂ２と、
前記移動局が、前記ランダムアクセス応答によって指定されたリソースを用いて、前記コネクション再設定要求信号を送信する工程Ｂ３と、
前記第２セルを管理する無線基地局が、前記コネクション再設定要求信号の受信に応じて、衝突解決信号を送信する工程Ｂ４とを有し、
前記工程Ｂ４において、前記第２セルを管理する無線基地局は、前記工程Ｂ１において起動された所定タイマが満了する前に、前記コネクション再設定要求信号に対する応答信号であるコネクション再設定信号とは別に、前記衝突解決信号を送信することを特徴とする請求項１に記載の移動通信方法。
【請求項３】
前記第１セルを管理する無線基地局は、前記移動局を特定可能なセキュリティパラメータと該移動局のコンテキスト情報とを対応付けて記憶しており、
前記工程Ｄにおいて、前記第２セルを管理する無線基地局は、前記コネクション再設定要求信号に含まれるセキュリティパラメータに対応する移動局のコンテキスト情報を記憶していないと判定した場合に、前記第１セルを管理する無線基地局から、該移動局のコンテキスト情報を取得することを特徴とする請求項１又は２に記載の移動通信方法。
【請求項４】
第２セルを管理する無線基地局であって、
第１セルにおいて第１コネクションを設定している移動局から受信した前記第２セル宛てのコネクション再設定要求信号に応じて、該移動局のコンテキスト情報を記憶しているか否かについて判定するように構成されている判定部と、
前記判定部によって前記移動局のコンテキスト情報を記憶していないと判定された場合に、前記第１セルを管理する無線基地局から、該移動局のコンテキスト情報を取得するように構成されている取得部と、
前記移動局のコンテキスト情報に基づいて、前記移動局と協働して、該移動局用の前記第２セルにおける第２コネクションを設定するように構成されている設定部とを具備することを特徴とする無線基地局。
【請求項５】
前記移動局から受信したランダムアクセスプリアンブルに応じて、前記移動局に対して、ランダムアクセス応答を送信し、該ランダムアクセス応答によって指定したリソースを用いて前記移動局から受信した前記コネクション再設定要求信号の受信に応じて、衝突解決信号を送信するように構成されているコネクション再設定要求信号受信部を具備し、
前記コネクション再設定要求信号受信部は、前記移動局による前記コネクション再設定要求信号の送信の際に起動された所定タイマが満了する前に、該コネクション再設定要求信号に対する応答信号であるコネクション再設定信号とは別に、前記衝突解決信号を送信するように構成されていることを特徴とする請求項４に記載の無線基地局。
【請求項６】
前記移動局を特定可能なセキュリティパラメータと該移動局のコンテキスト情報とを対応付けて記憶するように構成されている記憶部を具備し、
前記取得部は、前記コネクション再設定要求信号に含まれるセキュリティパラメータに対応する移動局のコンテキスト情報を記憶していないと判定した場合に、前記第１セルを管理する無線基地局から、該移動局のコンテキスト情報を取得するように構成されていることを特徴とする請求項４又は５に記載の無線基地局。
【発明の詳細な説明】
【技術分野】
【０００１】
本発明は、移動通信方法及び無線基地局に関する。
【背景技術】
【０００２】
図１２を参照して、３ＧＰＰで規定されている「ＬＴＥ（Ｌｏｎｇ  Ｔｅｒｍ  Ｅｖｏｌｕｔｉｏｎ）」方式の移動通信システムにおいて、セル＃１においてＲＲＣコネクション＃１を設定している移動局ＵＥが、ＲＬＦ（無線リンク障害、Ｒａｄｉｏ  Ｌｉｎｋ  Ｆａｉｌｕｒｅ）を検出した際の動作について説明する。
【０００３】
図１２に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、移動局ＵＥが、ステップＳ５００１において、ＲＬＦ（無線リンク障害、Ｒａｄｉｏ  Ｌｉｎｋ  Ｆａｉｌｕｒｅ）を検出すると、ステップＳ５００２において、セル選択処理（Ｃｅｌｌ  Ｓｅｌｅｃｔｉｏｎ）を行う。
【０００４】
ステップＳ５００３において、移動局ＵＥは、セル選択処理によって選択されたセル＃２を管理する無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【０００５】
無線基地局ｅＮＢ＃２は、ステップＳ５００４において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「Ｐｈｙｓｉｃａｌ  Ｃｅｌｌ  Ｉｄｅｎｔｙ」、「Ｃ-ＲＮＴＩ」及び「ｓｈｏｒｔＭＡＣ-Ｉ」に対応する移動局ＵＥのコンテキスト情報（ＵＥコンテキスト）を記憶している場合、ステップＳ５００５において、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【０００６】
ステップＳ５００６において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【０００７】
無線基地局ｅＮＢ＃２は、ステップＳ５００７において、交換局ＭＭＥに対して、「Ｓ１  Ｐａｔｈ  Ｓｗｉｔｃｈ」を送信し、ステップＳ５００８において、移動局ＵＥに対して、「ＲＲＣ  Ｃｏｎｎｅｃｔｉｏｎ  Ｒｅｃｏｎｆｉｇｕｒａｔｉｏｎ」を送信する。
【０００８】
ステップＳ５００９において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ５０１０において、交換局ＭＭＥは、無線基地局ｅＮＢ＃２に対して、「Ｓ１  Ｐａｔｈ  Ｓｗｉｔｃｈ  Ａｃｋ」を送信する。
【０００９】
この結果、ＲＲＣコネクション＃１のＲＲＣコネクション＃２への切り替え、及び、Ｓ１コネクション＃１のＳ１コネクション＃２への切り替えが完了する。ここで、ＲＲＣコネクション＃２は、移動局ＵＥと無線基地局ｅＮＢ＃２との間で設定されているＲＲＣコネクションであり、Ｓ１コネクション＃２は、無線基地局ｅＮＢ＃２と交換局ＭＭＥとの間で設定されているＳ１コネクションである。
【非特許文献１】３ＧＰＰ  ＴＳ３６.３３１  ｖ８.３.０
【非特許文献２】３ＧＰＰ  ＴＳ３６.３２１  ｖ８.３.０
【発明の開示】
【発明が解決しようとする課題】
【００１０】
しかしながら、かかる移動通信システムでは、移動局ＵＥは、移動局ＵＥのコンテキスト情報（ＵＥコンテキスト）を記憶している無線基地局ｅＮＢ配下のセルに対してのみハンドオーバを行うことができるように構成されている。
【００１１】
したがって、上述の無線基地局ｅＮＢ＃２が、移動局ＵＥのコンテキスト情報を記憶していない場合には、上述の「ＲＲＣ  Ｃｏｎｎｅｃｔｉｏｎ  Ｒｅ-ｅｓｔａｂｌｉｓｈｍｅｎｔ」が拒否されてしまい、移動局ＵＥは、セル選択処理によって選択されたセル＃２を管理する無線基地局ｅＮＢ＃２との間でＲＲＣコネクション＃２を設定することができないという問題点があった。
【００１２】
そこで、本発明は、上述の課題に鑑みてなされたものであり、移動局のコンテキスト情報を記憶していない無線基地局に対するコネクション再設定（再接続）を可能とする移動通信方法及び無線基地局を提供することを目的とする。
【課題を解決するための手段】
【００１３】
本発明の第１の特徴は、移動通信方法であって、第１セルにおいて第１コネクションを設定している移動局が、該第１コネクションにおける障害を検出した際に、セル選択処理を行う工程Ａと、前記移動局が、前記セル選択処理によって選択した第２セルに対して、コネクション再設定要求信号を送信する工程Ｂと、前記第２セルを管理する無線基地局が、前記コネクション再設定要求信号に応じて、前記移動局のコンテキスト情報を記憶しているか否かについて判定する工程Ｃと、前記第２セルを管理する無線基地局が、前記移動局のコンテキスト情報を記憶していないと判定した場合に、前記第１セルを管理する無線基地局から、該移動局のコンテキスト情報を取得する工程Ｄと、前記移動局のコンテキスト情報に基づいて、前記第２セルを管理する無線基地局及び前記移動局が、該移動局用の該第２セルにおける第２コネクションを設定する工程Ｅとを有することを要旨とする。
【００１４】
本発明の第２の特徴は、第２セルを管理する無線基地局であって、第１セルにおいて第１コネクションを設定している移動局から受信した前記第２セル宛てのコネクション再設定要求信号に応じて、該移動局のコンテキスト情報を記憶しているか否かについて判定するように構成されている判定部と、前記判定部によって前記移動局のコンテキスト情報を記憶していないと判定された場合に、前記第１セルを管理する無線基地局から、該移動局のコンテキスト情報を取得するように構成されている取得部と、前記移動局のコンテキスト情報に基づいて、前記移動局と協働して、該移動局用の前記第２セルにおける第２コネクションを設定するように構成されている設定部とを具備することを要旨とする。
【発明の効果】
【００１５】
以上説明したように、本発明によれば、移動局のコンテキスト情報を記憶していない無線基地局に対するコネクション再設定（再接続）を可能とする移動通信方法及び無線基地局を提供することができる。
【発明を実施するための最良の形態】
【００１６】
（本発明の第１の実施形態に係る移動通信システムの構成）
図１乃至図７を参照して、本発明の第１の実施形態に係る移動通信システムの構成について説明する。
【００１７】
図１に示すように、本実施形態に係る移動通信システムは、ＬＴＥ方式の移動通信システムであって、交換局ＭＭＥと、セル＃１を管理する無線基地局ｅＮＢ＃１と、セル＃２を管理する無線基地局ｅＮＢ＃２とを具備している。
【００１８】
かかる移動通信システムでは、移動局ＵＥが、移動局ＵＥのコンテキスト情報を記憶している無線基地局ｅＮＢ配下のセルに対してのみハンドオーバを行うことができるように構成されている、すなわち、「Ｂａｃｋｗａｒｄ  Ｈａｎｄｏｖｅｒ」が適用されている。
【００１９】
なお、本発明は、ＬＴＥ方式の移動通信システムだけでなく、「Ｂａｃｋｗａｒｄ  Ｈａｎｄｏｖｅｒ」が適用されている任意の移動通信システムに対して適用可能である。
【００２０】
図２に示すように、無線基地局ｅＮＢは、ＵＥコンテキスト記憶部１１と、ＲＲＣ（Ｒａｄｉｏ  Ｒｅｓｏｕｒｃｅ  Ｃｏｎｔｒｏｌ）処理部１２と、判定部１３と、ＭＡＣ（Ｍｅｄｉａ  Ａｃｃｅｓｓ  Ｃｏｎｔｒｏｌ）処理部１４と、Ｘ２処理部１５と、Ｓ１処理部１６とを具備している。以下、無線基地局ｅＮＢを代表して、セル＃２（第２セル）を管理する無線基地局ｅＮＢ＃２の構成について説明する。
【００２１】
ＵＥコンテキスト記憶部１１は、移動局ＵＥを一意に特定可能な「ｓｈｏｒｔＭＡＣ-Ｉ」と移動局ＵＥのコンテキスト情報とを対応付けて記憶するように構成されている。
【００２２】
ここで、「ｓｈｏｒｔＭＡＣ-Ｉ」は、図３に示すように、「セルＩＤ」と「ＰＣＩ（Ｐｈｙｓｉｃａｌ  Ｃｅｌｌ  ＩＤ）」と「Ｃ-ＲＮＴＩ」とからなる「ＶａｒＳｈｏｒｔＭＡＣ-Ｉｎｐｕｔ」を用いて生成された１６ビットのセキュリティパラメータである。
【００２３】
具体的には、「ｓｈｏｒｔＭＡＣ−Ｉ」は、「ＶａｒＳｈｏｒｔＭＡＣ−Ｉｎｐｕｔ」に対して、現在移動局ＵＥが用いているセキュリティ鍵とセキュリティアルゴリズムを用いて計算される改竄チェックコード「ＭＡＣ-I」の下位１６ビットを抽出したものである。
【００２４】
また、移動局ＵＥのコンテキスト情報は、例えば、図４に示すような「ｕｅ-ＲａｄｉｏＡｃｃｅｓｓＣａｐａｂｉｌｉｔｙＩｎｆｏ」や「ｕｅ-ＳｅｃｕｒｉｔｙＣａｐａｂｉｌｉｔｙＩｎｆｏ」や「ｒｅｅｓｔａｂｌｉｓｈｍｅｎｔＩｎｆｏ」を含む「ＡＳ-Ｃｏｎｔｅｘｔ」等を含む。
【００２５】
ＲＲＣ処理部１２は、移動局ＵＥのＲＲＣ機能と協働して、ＲＲＣ処理を行うように構成されている。
【００２６】
例えば、ＲＲＣ処理部１２は、移動局ＵＥから、配下のセル（例えば、セル＃２）宛ての「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」や「ＲＲＣ  Ｃｏｎｎｅｃｔｉｏｎ  Ｒｅ-ｅｓｔａｂｌｉｓｈｍｅｎｔ  Ｃｏｍｐｌｅｔｅ（コネクション再設定完了信号）」や「ＲＲＣ  Ｃｏｎｎｅｃｔｉｏｎ  Ｒｅｃｏｎｆｉｇｕｒａｔｉｏｎ  Ｃｏｍｐｌｅｔｅ（コネクション再構成完了信号）」を受信するように構成されている。
【００２７】
また、ＲＲＣ処理部１２は、移動局ＵＥに対して、「ＲＲＣ  Ｃｏｎｎｅｃｔｉｏｎ  Ｒｅ-ｅｓｔａｂｌｉｓｈｍｅｎｔ（コネクション再設定信号）」や「ＲＲＣ  Ｃｏｎｎｅｃｔｉｏｎ  Ｒｅｃｏｎｆｉｇｕｒａｔｉｏｎ（コネクション再構成信号）」を送信するように構成されている。
【００２８】
なお、ＲＲＣ処理部１２は、移動局ＵＥのコンテキスト情報に基づいて、移動局ＵＥと協働して、すなわち、移動局ＵＥとの間で、上述のＲＲＣメッセージをやり取りすることによって、移動局ＵＥ用のセル＃２におけるＲＲＣコネクション＃２を設定するように構成されている。
【００２９】
ここで、図５に、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」のフォーマットの例を示す。
【００３０】
判定部１３は、ＲＲＣ処理部１２によって受信された「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、ＵＥコンテキスト記憶部１１に移動局ＵＥのコンテキスト情報が記憶されているか否かについて判定するように構成されている。
【００３１】
具体的には、判定部１３は、ＵＥコンテキスト記憶部１１に、ＲＲＣ処理部１２によって受信された「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれている「Ｐｈｙｓｉｃａｌ  Ｃｅｌｌ  Ｉｄｅｎｔｉｔｙ」、「Ｃ-ＲＮＴＩ」及び「ｓｈｏｒｔＭＡＣ-Ｉ」に対応する移動局ＵＥのコンテキスト情報が記憶されているか否かについて判定するように構成されている。
【００３２】
ＭＡＣ処理部１２は、移動局ＵＥのＭＡＣ機能と協働して、ＭＡＣ処理を行うように構成されている。
【００３３】
Ｘ２処理部１５は、他の無線基地局（例えば、無線基地局ｅＮＢ＃１）との間のインターフェース機能を果たすように構成されている。
【００３４】
例えば、Ｘ２処理部１５は、判定部１３によって移動局ＵＥのコンテキスト情報が記憶されていないと判定された場合に、セル＃１を管理する無線基地局ｅＮＢ＃１から、移動局ＵＥのコンテキスト情報を取得するように構成されている。
【００３５】
具体的には、Ｘ２処理部１５は、判定部１３によって移動局ＵＥのコンテキスト情報が記憶されていないと判定された場合に、無線基地局ｅＮＢ＃１に対して、「Ｆｏｒｗａｒｄ  ＨＯ  Ｒｅｑｕｅｓｔ（フォワードハンドオーバ要求信号）」を送信することによって、「Ｘ２  ＨＯ  Ｐｒｅｐａｒｔｉｏｎ（ハンドオーバ準備信号）」を介して、移動局ＵＥのコンテキスト情報を取得するように構成されている。
【００３６】
ここで、図６及び図７に、かかる「Ｘ２  ＨＯ  Ｐｒｅｐａｒｔｉｏｎ」のフォーマットの例を示す。
【００３７】
Ｓ１処理部１６は、交換局ＭＭＥとの間のインターフェース機能を果たすように構成されている。なお、Ｓ１処理部１６は、交換局ＭＭＥとの間のＳ１コネクションの設定管理を行うように構成されている。
【００３８】
例えば、Ｓ１処理部１６は、交換局ＭＭＥに対して「Ｓ１  Ｐａｔｈ  Ｓｗｉｔｃｈ」を送信し、交換局ＭＭＥから「Ｓ１  Ｐａｔｈ  Ｓｗｉｔｃｈ  Ａｃｋ」を受信するように構成されている。
【００３９】
（本発明の第１の実施形態に係る移動通信システムの動作）
図８を参照して、本発明の第１の実施形態に係る移動通信システムの動作について説明する。
【００４０】
図８に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、移動局ＵＥが、ステップＳ１００１において、ＲＬＦ（ＲＲＣコネクション＃１における障害）を検出すると、ステップＳ１００２において、セル選択処理を行う。
【００４１】
例えば、移動局ＵＥは、Ｎ３１０回、ＲＲＣコネクション＃１における同期外れ状態を検出し、その後、タイマＴ３１０を起動して、タイマＴ３１０が満了するまでに、かかる同期外れ状態が解消されない場合に、ＲＬＦを検出する。
【００４２】
ステップＳ１００３において、移動局ＵＥは、セル選択処理によって選択されたセル＃２を管理する無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００４３】
無線基地局ｅＮＢ＃２は、ステップＳ１００４において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「Ｐｈｙｓｉｃａｌ  Ｃｅｌｌ  Ｉｄｅｎｔｉｔｙ」、「Ｃ−ＲＮＴＩ」及び「ｓｈｏｒｔＭＡＣ-Ｉ」に対応する移動局ＵＥのコンテキスト情報を記憶していないと判定した場合、ステップＳ１００５において、上述の「Ｐｈｙｓｉｃａｌ  Ｃｅｌｌ  Ｉｄｅｎｔｉｔｙ」に基づいて、無線基地局ｅＮＢ＃１を特定し、無線基地局ｅＮＢ＃１に対して、上述の「Ｃ-ＲＮＴＩ」及び「ｓｈｏｒｔＭＡＣ-Ｉ」を含む「Ｆｏｒｗａｒｄ  ＨＯ  Ｒｅｑｕｅｓｔ」（「ＵＥ  Ｃｏｎｔｅｘｔ  Ｒｅｑｕｅｓｔ」等、他の名前で呼ばれてもよい）を送信する。
【００４４】
無線基地局ｅＮＢ＃１は、ステップＳ１００６において、受信した「Ｆｏｒｗａｒｄ  ＨＯ  Ｒｅｑｕｅｓｔ」に含まれる「Ｃ-ＲＮＴＩ」及び「ｓｈｏｒｔＭＡＣ-Ｉ」に対応する移動局ＵＥのコンテキスト情報を記憶していると判定した場合、ステップＳ１００７において、無線基地局ｅＮＢ＃２に対して、当該移動局ＵＥのコンテキスト情報を含む「Ｘ２  ＨＯ  Ｐｒｅｐａｒｔｉｏｎ」を送信する（移動局ＵＥのコンテキスト情報を記憶していないと判定した場合、「Ｘ２  ＨＯ  Ｐｒｅｐａｒａｔｉｏｎ」の代わりに「Ｆｏｒｗａｒｄ  ＨＯ  Ｒｅｊｅｃｔ」を送信する）。
【００４５】
ステップＳ１００８において、無線基地局ｅＮＢ＃２は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００４６】
ここで、無線基地局ｅＮＢ＃１から「Ｆｏｒｗａｒｄ  ＨＯ  Ｒｅｊｅｃｔ」が返ってきた場合は、「ＲＲＣ  Ｃｏｎｎｅｃｔｉｏｎ  Ｒｅ−ｅｓｔａｂｌｉｓｈｍｅｎｔ  Ｒｅｊｅｃｔ」を代わりに送信する。これにより、コネクション再設定は失敗に終わり、移動局ＵＥはＲＲＣコネクションを解放して、「ＲＲＣ＿ＩＤＬＥ状態」となる。
【００４７】
ステップＳ１００９において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００４８】
無線基地局ｅＮＢ＃２は、ステップＳ１０１０において、無線基地局ｅＮＢ＃１に対して、「Ｘ２  ＨＯ  Ｐｒｅｐａｒｔｉｏｎ  Ａｃｋ」を送信し、ステップＳ１０１１において、交換局ＭＭＥに対して、「Ｓ１  Ｐａｔｈ  Ｓｗｉｔｃｈ」を送信し、ステップ１０１２において、移動局ＵＥに対して、「ＲＲＣ  Ｃｏｎｎｅｃｔｉｏｎ  Ｒｅｃｏｎｆｉｇｕｒａｔｉｏｎ」を送信する。
【００４９】
ステップＳ１０１３において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ１０１４において、交換局ＭＭＥは、無線基地局ｅＮＢ＃２に対して、「Ｓ１  Ｐａｔｈ  Ｓｗｉｔｃｈ  Ａｃｋ」を送信する。
【００５０】
この結果、ＲＲＣコネクション＃１のＲＲＣコネクション＃２への切り替え、及び、Ｓ１コネクション＃１のＳ１コネクション＃２への切り替えが完了する。ここで、ＲＲＣコネクション＃２は、移動局ＵＥと無線基地局ｅＮＢ＃２との間で設定されているＲＲＣコネクションであり、Ｓ１コネクション＃２は、無線基地局ｅＮＢ＃２と交換局ＭＭＥとの間で設定されているＳ１コネクションである。
【００５１】
（本発明の第１の実施形態に係る移動通信システムの作用・効果）
本発明の第１の実施形態に係る移動通信システムで用いられる移動局ＵＥによれば、無線基地局ｅＮＢ＃２が、移動局ＵＥのコンテキスト情報を記憶していない場合であっても、無線基地局ｅＮＢ＃１から、移動局ＵＥのコンテキスト情報を取得することができるため、移動局ＵＥは、移動局ＵＥのコンテキスト情報を記憶していない無線基地局ｅＮＢ＃２に対してコネクション再設定（再接続）を行うことができる。
【００５２】
（本発明の変更例１）
図９乃至図１１を参照して、本発明の変更例１に係る移動通信システムについて説明する。以下、本変更例１に係る移動通信システムについて、上述の第１の実施形態に係る移動通信システムとの相違点に着目して説明する。
【００５３】
本変更例１に係る移動通信システムでは、移動局ＵＥは、ランダムアクセス手順を用いて、セル選択処理によって選択された無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信するように構成されている。
【００５４】
ここで、図９及び図１０を参照して、かかる動作について説明する。
【００５５】
図９に示すように、ステップＳ３００１において、移動局ＵＥは、無線基地局ｅＮＢ＃２に対して、ランダムアクセスプリアンブルを送信する。
【００５６】
ステップＳ３００２において、無線基地局ｅＮＢ＃２は、受信したランダムアクセスプリアンブルに応じて、移動局ＵＥに対して、ランダムアクセス応答を送信する。ここで、無線基地局ｅＮＢ＃２は、ＲＡ-ＲＮＴＩを含むＰＤＣＣＨを介して、移動局ＵＥに対して、ランダムアクセス応答を送信する。
【００５７】
ステップＳ３００３において、移動局ＵＥは、ランダムアクセス応答によって指定された上り無線リソース（ＵＬ  Ｇｒａｎｔ）を用いて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信には、ＨＡＲＱ（Ｈｙｂｒｉｄ  ＡＲＱ）処理が適用される。
【００５８】
ステップＳ３００４において、無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ」を送信する。
【００５９】
ステップＳ３００５において、無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」を送信する。かかる「ＲＲＣ  Ｃｏｎｎｅｃｔｉｏｎ  Ｒｅ-ｅｓｔａｂｌｉｓｈｍｅｎｔ」の送信には、ＨＡＲＱ処理が適用される。
【００６０】
なお、無線基地局ｅＮＢ＃２のＭＡＣ処理部１４は、移動局ＵＥによる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信の際に起動されたＣＲ（Ｃｏｎｔｅｎｔｉｏｎ  Ｒｅｓｏｌｕｔｉｏｎ）タイマ（所定タイマ）が満了する前に、「Ｃｏｎｔｅｎｔｉｏｎ  Ｒｅｓｏｌｕｔｉｏｎ」を送信するように構成されている。
【００６１】
ここで、無線基地局ｅＮＢ＃２のＭＡＣ処理部１４は、図１０（ａ）に示すように、同一のＴＴＩ（Ｔｒａｎｓｍｉｓｓｉｏｎ  Ｔｉｍｅ  Ｉｎｔｅｒｖａｌ）において、「Ｃｏｎｔｅｎｔｉｏｎ  Ｒｅｓｏｌｕｔｉｏｎ」と「ＲＲＣ  Ｃｏｎｎｅｃｔｉｏｎ  Ｒｅ-ｅｓｔａｂｌｉｓｈｍｅｎｔ」とを連結して送信してもよいし、図１０（ｂ）に示すように、「Ｃｏｎｔｅｎｔｉｏｎ  Ｒｅｓｏｌｕｔｉｏｎ」と「ＲＲＣ  Ｃｏｎｎｅｃｔｉｏｎ  Ｒｅ-ｅｓｔａｂｌｉｓｈｍｅｎｔ」とを別に送信してもよい。
【００６２】
なお、無線基地局ｅＮＢ＃２のＭＡＣ処理部１４は、図１０（ａ）及び図１０（ｂ）の「Ｃｏｎｔｅｎｔｉｏｎ  Ｒｅｓｏｌｕｔｉｏｎ」のフィールドには、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」をコピーするように構成されている。
【００６３】
また、移動局ＵＥは、ランダムアクセス手順によって、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信した後、最初に、Ｔｅｍｐ-Ｃ-ＲＮＴＩを含むＰＤＣＣＨを介して送信される制御情報において、「Ｃｏｎｔｅｎｔｉｏｎ  Ｒｅｓｏｌｕｔｉｏｎ」が含まれているか否かについて判定するように構成されている。
【００６４】
Ｔｅｍｐ-Ｃ-ＲＮＴＩは、ランダムアクセス応答によって割り当てられたテンポラリーなＣ-ＲＮＲＩ（セル内の移動局ＵＥの識別子）である。
【００６５】
具体的には、移動局ＵＥは、かかる制御情報において、図１０（ａ）示すように、３又は４バイト目から、「Ｃｏｎｔｅｎｔｉｏｎ  Ｒｅｓｏｌｕｔｉｏｎ」のフィールドが始まるものとして、ＭＡＣヘッダ及びＭＡＣ拡張ヘッダを解析することなく、「Ｃｏｎｔｅｎｔｉｏｎ  Ｒｅｓｏｌｕｔｉｏｎ」が含まれているか否かについて判定するように構成されていてもよいし、図１０（ｂ）示すように、２バイト目から、「Ｃｏｎｔｅｎｔｉｏｎ  Ｒｅｓｏｌｕｔｉｏｎ」のフィールドが始まるものとして、ＭＡＣヘッダを解析することなく、「Ｃｏｎｔｅｎｔｉｏｎ  Ｒｅｓｏｌｕｔｉｏｎ」が含まれているか否かについて判定するように構成されていてもよい。
【００６６】
「Ｃｏｎｔｅｎｔｉｏｎ  Ｒｅｓｏｌｕｔｉｏｎ」に対しては、ＨＡＲＱが適用されるが、複数の移動局ＵＥが、ランダムアクセスを同時に行い、衝突している可能性があるため、通常のＨＡＲＱのＭＡＣ処理とは異なり、移動局ＵＥは、自身が送信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」が「Ｃｏｎｔｅｎｔｉｏｎ  Ｒｅｓｏｌｕｔｉｏｎ」によってエコーバックされたことが確認された場合にのみ、ＨＡＲＱ  Ａｃｋのフィードバックを送信する。
【００６７】
その他の場合（デコードに失敗してＨＡＲＱ  Ｎａｃｋの場合及び「Ｃｏｎｔｅｎｔｉｏｎ  Ｒｅｓｏｌｕｔｉｏｎ」のエコーバック内容が一致しない場合）は、移動局ＵＥは、ＨＡＲＱのＡｃｋ／Ｎａｃｋフィードバックは送信しない。
【００６８】
ところが、ＨＡＲＱのフィードバックは、ＨＡＲＱが動作するＲＴＴ（ｒｏｕｎｄ  ｔｒｉｐ  ｔｉｍｅ）を満たすようなタイミングで送信する必要がある。よって、処理速度に対する要求が厳しく、ＭＡＣヘッダを解析する処理時間を取ることができない。
【００６９】
したがって、移動局ＵＥは、ＭＡＣヘッダを解析することなく、「Ｃｏｎｔｅｎｔｉｏｎ  Ｒｅｓｏｌｕｔｉｏｎ」のバイト位置を決めて、エコーバック内容のビットストリングの比較が直接行えるように構成されていることが望ましい。
【００７０】
以下、図１１を参照して、本変更例１に係る移動通信システムの動作について説明する。
【００７１】
図１１に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、移動局ＵＥが、ステップＳ２００１において、ＲＬＦ（ＲＲＣコネクション＃１における障害）を検出すると、ステップＳ２００２において、セル選択処理を行う。
【００７２】
ステップＳ２００３において、移動局ＵＥは、セル選択処理によって選択されたセル＃２を管理する無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００７３】
この際、ステップＳ２００３Ａにおいて、無線基地局ｅＮＢ＃２は、ＣＲタイマが満了する前の任意のタイミングで、移動局ＵＥに対して、「Ｃｏｎｔｅｎｔｉｏｎ  Ｒｅｓｏｌｕｔｉｏｎ」を送信する。
【００７４】
ステップＳ２００４乃至Ｓ２０１４の動作は、図８に示すステップＳ１００４乃至Ｓ１０１４の動作と同一である。
【００７５】
なお、ステップＳ２００８における「ＲＲＣ  Ｃｏｎｎｅｃｔｉｏｎ  Ｒｅ-ｅｓｔａｂｌｉｓｈｍｅｎｔ」が、タイマＴ３０１が満了するまでに移動局ＵＥに到達しない場合、移動局ＵＥは、セル＃２におけるＲＲＣコネクション＃２の設定に失敗したものと判断する。かかる場合、移動局ＵＥは、ＲＲＣコネクションを解放し、「ＲＲＣ＿ＩＤＬＥ状態」となる。
【００７６】
以下、本変更例１に係る移動通信システムの作用・効果について説明する。
【００７７】
本発明の第１の実施形態に係る移動通信システムでは、無線基地局ｅＮＢ＃２が、移動局ＵＥから「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信した場合で、かつ、移動局ＵＥのコンテキスト情報を記憶していない場合には、無線基地局ｅＮＢ＃１から、移動局ＵＥのコンテキスト情報を取得する必要がある。
【００７８】
したがって、無線基地局ｅＮＢ＃２が、同一のＴＴＩにおいて「ＲＲＣ  Ｃｏｎｎｅｃｔｉｏｎ  Ｒｅ-ｅｓｔａｂｌｉｓｈｍｅｎｔ」と「Ｃｏｎｔｅｎｔｉｏｎ  Ｒｅｓｏｌｕｔｉｏｎ」とを連結して送信すると、「Ｃｏｎｔｅｎｔｉｏｎ  Ｒｅｓｏｌｕｔｉｏｎ」が、ＣＲタイマが満了するまでに移動局ＵＥに到達せず、「ＲＲＣ  Ｃｏｎｎｅｃｔｉｏｎ  Ｒｅ-ｅｓｔａｂｌｉｓｈｍｅｎｔ  Ｒｅｑｕｅｓｔ」が無線基地局ｅＮＢ＃２に正常に到達している場合であっても、ランダムアクセス手順が繰り返し行われてしまう場合がある。
【００７９】
そのため、本変更例１に係る移動通信システムのように、無線基地局ｅＮＢ＃２が、ＣＲタイマが満了する前の任意のタイミングで、移動局ＵＥに対して、「Ｃｏｎｔｅｎｔｉｏｎ  Ｒｅｓｏｌｕｔｉｏｎ」を送信することによって、かかる不具合を解消することができる。
【００８０】
特に、無線基地局ｅＮＢ＃２は、移動局ＵＥから「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信した場合で、かつ、移動局ＵＥのコンテキスト情報を記憶していない場合には、ＣＲタイマが満了する前の任意のタイミングで、移動局ＵＥに対して、「Ｃｏｎｔｅｎｔｉｏｎ  Ｒｅｓｏｌｕｔｉｏｎ」を送信することが好ましい。
【００８１】
以上に述べた本実施形態の特徴は、以下のように表現されていてもよい。
【００８２】
本実施形態の第１の特徴は、移動通信方法であって、セル＃１（第１セル）においてＲＲＣコネクション＃１（第１コネクション）を設定している移動局ＵＥが、ＲＲＣコネクション＃１における障害（ＲＬＦ）を検出した際に、セル選択処理を行う工程Ａと、移動局ＵＥが、セル選択処理によって選択したセル＃２（第２セル）に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」を送信する工程Ｂと、セル＃２を管理する無線基地局ｅＮＢ＃２が、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、移動局ＵＥのコンテキスト情報を記憶しているか否かについて判定する工程Ｃと、無線基地局ｅＮＢ＃２が、移動局ＵＥのコンテキスト情報を記憶していないと判定した場合に、セル＃１を管理する無線基地局ｅＮＢ＃１から、移動局ＵＥのコンテキスト情報を取得する工程Ｄと、移動局ＵＥのコンテキスト情報に基づいて、無線基地局ｅＮＢ＃２及び移動局ＵＥが、移動局ＵＥ用のセル＃２におけるＲＲＣコネクション＃２（第２コネクション）を設定する工程Ｅとを有することを要旨とする。
【００８３】
本実施形態の第１の特徴において、前記工程Ｂは、移動局ＵＥが、無線基地局ｅＮＢ＃２に対して、ランダムアクセスプリアンブルを送信する工程Ｂ１と、無線基地局ｅＮＢ＃２が、受信したランダムアクセスプリアンブルに応じて、移動局ＵＥに対して、ランダムアクセス応答を送信する工程Ｂ２と、移動局ＵＥが、ランダムアクセス応答によって指定されたリソースを用いて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する工程Ｂ３と、無線基地局ｅＮＢ＃２が、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ（衝突解決信号）」を送信する工程Ｂ４とを有し、工程Ｂ４において、無線基地局ｅＮＢ＃２は、工程Ｂ１において起動されたＣＲタイマ（所定タイマ）が満了する前に、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」とは別に、「Ｃｏｎｔｅｎｔｉｏｎ  Ｒｅｓｏｌｕｔｉｏｎ」を送信してもよい。
【００８４】
本実施形態の第１の特徴において、無線基地局ｅＮＢ＃２は、移動局ＵＥを一意に特定可能な「ｓｈｏｒｔＭＡＣ-Ｉ（セキュリティパラメータ）」と移動局ＵＥのコンテキスト情報とを対応付けて記憶しており、工程Ｄにおいて、無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔＭＡＣ-Ｉ」に対応する移動局ＵＥのコンテキスト情報を記憶していないと判定した場合に、無線基地局ｅＮＢ＃１から、移動局ＵＥのコンテキスト情報を取得してもよい。
【００８５】
本実施形態の第２の特徴は、セル＃２を管理する無線基地局ｅＮＢ＃２であって、セル＃１においてＲＲＣコネクション＃１を設定している移動局ＵＥから受信したセル＃２宛ての「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、移動局ＵＥのコンテキスト情報を記憶しているか否かについて判定するように構成されている判定部１３と、判定部１３によって移動局ＵＥのコンテキスト情報を記憶していないと判定された場合に、セル＃１を管理する無線基地局ｅＮＢ＃１から、移動局ＵＥのコンテキスト情報を取得するように構成されているＸ２処理部１６と、移動局ＵＥのコンテキスト情報に基づいて、移動局ＵＥと協働して、移動局ＵＥ用のセル＃２におけるＲＲＣコネクション＃２を設定するように構成されているＲＲＣ処理部１２とを具備することを要旨とする。
【００８６】
本実施形態の第２の特徴において、移動局ＵＥから受信したランダムアクセスプリアンブルに応じて、移動局ＵＥに対して、ランダムアクセス応答を送信し、ランダムアクセス応答によって指定したリソースを用いて移動局から受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ」を送信するように構成されているＭＡＣ処理部１４を具備し、ＭＡＣ処理部１４は、移動局ＵＥによる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信の際に起動されたＣＲタイマが満了する前に、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」とは別に、「Ｃｏｎｔｅｎｔｉｏｎ  Ｒｅｓｏｌｕｔｉｏｎ」を送信するように構成されていてもよい。
【００８７】
本実施形態の第２の特徴において、移動局ＵＥを一意に特定可能な「ｓｈｏｒｔＭＡＣ-Ｉ」と移動局ＵＥのコンテキスト情報とを対応付けて記憶するように構成されているＵＥコンテキスト記憶部１１を具備し、ＲＲＣ処理部１２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｓｈｏｒｔＭＡＣ-Ｉ」に対応する移動局ＵＥのコンテキスト情報を記憶していないと判定した場合に、無線基地局ｅＮＢ＃１から、移動局ＵＥのコンテキスト情報を取得するように構成されていてもよい。
【００８８】
なお、上述の移動局ＵＥや無線基地局ｅＮＢ＃１/ｅＮＢ＃２や交換局ＭＭＥの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２や交換局ＭＭＥ内に設けられていてもよい。また、かかる記憶媒体及びプロセッサは、ディスクリートコンポーネントとして移動局ＵＥや無線基地局ｅＮＢ＃１/ｅＮＢ＃２や交換局ＭＭＥ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９２】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ｓｈｏｒｔＭＡＣ-Ｉ」について説明するための図である。
【図４】本発明の第１の実施形態に係る移動通信システムで用いられる「ＡＳ-Ｃｏｎｔｅｘｔ」について説明するための図である。
【図５】本発明の第１の実施形態に係る移動通信システムで用いられる「ＲＲＣ  Ｃｏｎｎｅｃｔｉｏｎ  Ｒｅ-ｅｓｔａｂｌｉｓｈｍｅｎｔ  Ｒｅｑｕｅｓｔ」について説明するための図である。
【図６】本発明の第１の実施形態に係る移動通信システムで用いられる「Ｘ２  ＨＯ  Ｐｒｅｐａａｒｔｉｏｎ」について説明するための図である。
【図７】本発明の第１の実施形態に係る移動通信システムで用いられる「Ｘ２  ＨＯ  Ｐｒｅｐａａｒｔｉｏｎ」に含まれる「ＡＳ-Ｃｏｎｆｉｇｕｒａｔｉｏｎ」について説明するための図である。
【図８】本発明の第１の実施形態に係る移動通信システムの動作を示すシーケンス図である。
【図９】本発明の変更例１に係る移動通信システムの動作を示すシーケンス図である。
【図１０】本発明の変更例１に係る移動通信システムの動作を説明するための図である。
【図１１】本発明の変更例１に係る移動通信システムの動作を示すシーケンス図である。
【図１２】従来の移動通信システムの動作を示すシーケンス図である。
【符号の説明】
【００９３】
ｅＮＢ…無線基地局
１１…ＵＥコンテキスト記憶部
１２…ＲＲＣ処理部
１３…判定部
１４…ＭＡＣ処理部
１５…Ｘ２処理部
１６…Ｓ１処理部
【図１】
2010141613.tif 000003
【図２】
2010141613.tif 000004
【図３】
2010141613.tif 000005
【図４】
2010141613.tif 000006
【図５】
2010141613.tif 000007
【図６】
2010141613.tif 000008
【図７】
2010141613.tif 000009
【図８】
2010141613.tif 000010
【図９】
2010141613.tif 000011
【図１０】
2010141613.tif 000012
【図１１】
2010141613.tif 000013
【図１２】
2010141613.tif 000014
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
移動局が、セル選択を行う工程Ａと、
前記移動局が、選択したセルを管理する無線基地局に対して、ランダムアクセスプリアンブルを送信する工程Ｂと、
前記無線基地局が、受信した前記ランダムアクセスプリアンブルに応じて、前記移動局に対して、ランダムアクセス応答を送信する工程Ｃと、
前記移動局が、前記ランダムアクセス応答によって指定されたリソースを用いて、前記無線基地局に対して、第１ＲＲＣメッセージを送信する工程Ｄと、
前記無線基地局が、受信した前記第１ＲＲＣメッセージに応じて、前記移動局に対して、前記第１ＲＲＣメッセージを含む衝突解決信号を送信する工程Ｅと、
前記無線基地局が、前記移動局に対して、前記第１ＲＲＣメッセージに対する応答メッセージである第２ＲＲＣメッセージを送信する工程Ｆと、
前記移動局が、前記衝突解決信号及び前記第２ＲＲＣメッセージを受信する工程Ｇとを有し、
前記工程Ｇにおいて、前記移動局は、前記衝突解決信号に連結されている前記第２ＲＲＣメッセージを受信するか、或いは、該衝突解決信号とは別個に送信されている該第２ＲＲＣメッセージを受信することを特徴とする移動通信方法。
【請求項２】
移動局であって、
セル選択を行うように構成されているセル選択部と、
選択したセルを管理する無線基地局に対して、ランダムアクセスプリアンブルを送信するように構成されているランダムアクセスプリアンブル送信部と、
前記無線基地局から、前記ランダムアクセスプリアンブルに対するランダムアクセス応答を受信するように構成されているランダムアクセス応答受信部と、
前記ランダムアクセス応答によって指定されたリソースを用いて、前記無線基地局に対して、第１ＲＲＣメッセージを送信するように構成されている第１ＲＲＣメッセージ送信部と、
前記無線基地局から、前記第１ＲＲＣメッセージを含む衝突解決信号を受信するように構成されている衝突解決信号受信部と、
前記無線基地局から、前記第１ＲＲＣメッセージに対する応答メッセージである第２ＲＲＣメッセージを受信するように構成されている第２ＲＲＣメッセージ受信部とを具備し、
前記第２ＲＲＣメッセージ受信部は、前記衝突解決信号に連結されている前記第２ＲＲＣメッセージを受信するか、或いは、該衝突解決信号とは別個に送信されている該第２ＲＲＣメッセージを受信するように構成されていることを特徴とする移動局。
【請求項３】
無線基地局であって、
移動局から、ランダムアクセスプリアンブルを受信するように構成されているランダムアクセスプリアンブル受信部と、
受信された前記ランダムアクセスプリアンブルに応じて、前記移動局に対して、ランダムアクセス応答を送信するように構成されているランダムアクセス応答送信部と、
前記移動局から、第１ＲＲＣメッセージを受信するように構成されている第１ＲＲＣメッセージ受信部と、
前記第１ＲＲＣメッセージに応じて、前記移動局に対して、該第１ＲＲＣメッセージを含む衝突解決信号、及び、該第１ＲＲＣメッセージに対する応答メッセージである第２ＲＲＣメッセージを送信するように構成されている送信部とを具備し、
前記送信部は、前記第２ＲＲＣメッセージを前記衝突解決信号に連結して送信するか、或いは、該第２ＲＲＣメッセージを該衝突解決信号とは別個に送信するように構成されていることを特徴とする無線基地局。
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
移動局が、セル選択を行う工程Ａと、
前記移動局が、選択したセルを管理する無線基地局に対して、ランダムアクセスプリアンブルを送信する工程Ｂと、
前記無線基地局が、受信した前記ランダムアクセスプリアンブルに応じて、前記移動局に対して、ランダムアクセス応答を送信する工程Ｃと、
前記移動局が、前記ランダムアクセス応答によって指定されたリソースを用いて、前記無線基地局に対して、ＲＲＣ再接続要求信号を送信する工程Ｄと、
前記無線基地局が、受信した前記ＲＲＣ再接続要求信号に応じて、前記移動局に対して、該ＲＲＣ再接続要求信号を含む衝突解決信号を送信する工程Ｅと、
前記無線基地局が、前記移動局に対して、前記ＲＲＣ再接続要求信号に対する応答メッセージであるＲＲＣ再接続信号を送信する工程Ｆと、
前記移動局が、前記衝突解決信号及び前記ＲＲＣ再接続信号を受信する工程Ｇとを有し、
前記工程Ｇにおいて、前記移動局は、前記衝突解決信号に連結されている前記ＲＲＣ再接続信号、或いは、該衝突解決信号とは別個に送信されている該ＲＲＣ再接続信号のいずれか一方を受信することを特徴とする移動通信方法。
【請求項２】
移動局であって、
セル選択を行うように構成されているセル選択部と、
選択したセルを管理する無線基地局に対して、ランダムアクセスプリアンブルを送信するように構成されているランダムアクセスプリアンブル送信部と、
前記無線基地局から、前記ランダムアクセスプリアンブルに対するランダムアクセス応答を受信するように構成されているランダムアクセス応答受信部と、
前記ランダムアクセス応答によって指定されたリソースを用いて、前記無線基地局に対して、ＲＲＣ再接続要求信号を送信するように構成されているＲＲＣ再接続要求信号送信部と、
前記無線基地局から、前記第１ＲＲＣメッセージを含む衝突解決信号を受信するように構成されている衝突解決信号受信部と、
前記無線基地局から、前記ＲＲＣ再接続要求信号に対する応答メッセージであるＲＲＣ再接続信号を受信するように構成されているＲＲＣ再接続信号受信部とを具備し、
前記ＲＲＣ再接続信号受信部は、前記衝突解決信号に連結されている前記ＲＲＣ再接続信号、或いは、該衝突解決信号とは別個に送信されている該ＲＲＣ再接続信号のいずれか一方を受信するように構成されていることを特徴とする移動局。
【請求項３】
無線基地局であって、
移動局から、ランダムアクセスプリアンブルを受信するように構成されているランダムアクセスプリアンブル受信部と、
受信された前記ランダムアクセスプリアンブルに応じて、前記移動局に対して、ランダムアクセス応答を送信するように構成されているランダムアクセス応答送信部と、
前記移動局から、ＲＲＣ再接続要求信号を受信するように構成されているＲＲＣ再接続要求信号受信部と、
前記ＲＲＣ再接続要求信号に応じて、前記移動局に対して、該ＲＲＣ再接続要求信号含む衝突解決信号、及び、該ＲＲＣ再接続要求信号に対する応答メッセージであるＲＲＣ再接続信号を送信するように構成されている送信部とを具備し、
前記送信部は、前記ＲＲＣ再接続信号を前記衝突解決信号に連結して送信するか、或いは、該ＲＲＣ再接続信号を該衝突解決信号とは別個に送信するかを決定するように構成されていることを特徴とする無線基地局。
【手続補正２】
【補正対象書類名】図面
【補正対象項目名】図９
【補正方法】変更
【補正の内容】
【図９】
2010141613.tif 000015